【事件の表示】
　平成　８年特許願第２１８９００号「録画予約方法、録画装置および録画予約システム」拒絶査定不服審判事件〔平成１０年　３月　６日出願公開、特開平１０−　６５８２３〕について、次のとおり審決する。
【結　論】
　本件審判の請求は、成り立たない。
【理　由】
１．手続の経緯
　本願は、平成８年８月２０日の出願であって、平成１６年７月９日付で拒絶査定がなされ、これに対し、同年８月１２日に拒絶査定に対する審判請求がなされるとともに、同年９月１３日に手続補正がなされ、平成１８年７月５日付で審尋がなされ、同年９月１１日に回答書が提出されたものである。
　
２．平成１６年９月１３日付の手続補正について検討
［結論］
　平成１６年９月１３日付の手続補正を却下する。
　
［理由］
（１）補正後の請求項に係る発明 
　平成１６年９月１３日付の手続補正（以下、「本件手続補正」という。）の内容は、平成１５年６月９日付の手続補正によって補正された明細書の特許請求の範囲である、
「【請求項１】　遠隔よりユーザが録画装置に設定した所望の番組の録画予約内容を用いて録画内容を予約できるようにした録画予約方法であって、
　遠隔より上記録画装置の状態を判断し、
　上記録画装置が録画実行中であると判断した場合には、自動的に予約内容の確認状態に遷移し、
　上記録画装置が録画中である番組の予約内容を確認し、
　上記番組の予約内容が変更されたと判断した場合には、予めメモリに記憶されている録画予約内容を変更することを特徴とする録画予約方法。
　　【請求項２】　上記録画予約内容に関して録画終了時刻を変更することを特徴とする請求項１記載の録画予約方法。
　　【請求項３】　上記録画装置が予約録画実行中のときには録画中の情報が音声で案内されるようになされ、
　その後、上記録画装置で録画予約の内容が変更できるようになされたことを特徴とする請求項１記載の録画予約方法。
　　【請求項４】　上記録画中の情報は、録画中の予約内容や録画中の番組の音声であることを特徴とする請求項１記載の録画予約方法。
　　【請求項５】　遠隔よりユーザが録画手段に設定した所望の番組の録画予約内容を受信する受信部と、
　上記受信部で受信した録画予約内容を用いて上記録画手段に予約設定を行う制御部と、
　上記制御部により設定された録画内容を記憶するメモリ手段とを有し、
　上記制御部は、
　上記録画手段に対する遠隔からの遠隔制御信号に基づいて上記番組の録画予約内容が変更された場合に、上記メモリ手段に記憶された録画予約内容を変更するようにしたことを特徴とする録画装置。
　　【請求項６】　上記録画予約内容に関して録画終了時刻が変更され、変更後の録画終了時刻を上記メモリ手段に再記憶するようにしたことを特徴とする請求項５記載の録画装置。
　　【請求項７】　上記録画中の予約内容を音声合成する音声合成手段を備え、
　上記制御部は、
　上記音声合成手段によって合成される録画中の予約内容を発呼者側に伝えるように制御することを特徴とする請求項５記載の録画装置。
　　【請求項８】　上記録画手段にはＶＴＲが使用されることを特徴とする請求項５記載の録画装置。
　　【請求項９】　遠隔よりユーザが録画装置に設定した所望の番組の録画予約内容を用いて録画内容を予約できるようにした録画予約システムであって、
　上記録画装置は、
　遠隔よりユーザが録画手段に設定した所望の番組の録画予約内容を受信する受信部と、
　上記受信部で受信した録画予約内容を用いて上記録画手段に予約設定を行う制御部と、
　上記制御部により設定された録画内容を記憶するメモリ手段とを有し、
　遠隔より上記録画装置の状態を判断し、
　上記録画装置が録画実行中であると判断した場合には、自動的に予約内容の確認状態に遷移し、
　上記録画装置が録画中である番組の予約内容を確認し、
　上記番組の予約内容が変更されたと判断した場合には、予め上記メモリ手段に記憶されている録画予約内容を変更することを特徴とする録画予約システム。
　　【請求項１０】　上記録画予約内容に関して録画終了時刻が変更されることを特徴とする請求項９記載の録画予約システム。」（以下、「補正前の特許請求の範囲」という。）を、
「【請求項１】　番組録画予約が可能な録画装置の設置場所から離れた位置で録画予約をする録画予約方法であって、
　当該録画装置の設置場所から離れた遠隔のユーザから識別番号と該録画装置に対する録画予約内容とを受信し、
　受信した上記識別番号と予め設定された識別番号との一致を比較し、
　上記比較の結果で上記識別番号が一致したとき、受信した上記録画予約内容に基づいて上記番組の録画予約を設定し、
　設定された上記録画予約内容を記憶し、
　当該録画装置に対する遠隔からの遠隔制御信号に基づいて上記番組の録画予約内容が変更された場合、先に記憶されている上記録画予約内容を変更するとともに、当該変更した録画予約内容を上記遠隔のユーザに出力するようにしたことを特徴とする録画予約方法。
　　【請求項２】　上記録画予約内容に関して録画終了時刻を変更することを特徴とする請求項１記載の録画予約方法。
　　【請求項３】　上記録画装置が予約録画実行中のときには録画中の情報が音声で案内されるようになされ、
　その後、上記録画装置で録画予約の内容が変更できるようになされたことを特徴とする請求項１記載の録画予約方法。
　　【請求項４】　上記録画中の情報は、録画中の予約内容や録画中の番組の音声であることを特徴とする請求項３記載の録画予約方法。
　　【請求項５】　当該装置の設置場所から離れた位置で番組の録画予約が可能な録画装置であって、
　録画予約された上記番組を録画する録画手段と、
　当該装置の設置場所から離れた遠隔のユーザから識別番号と上記録画手段に対する録画予約内容とを受信する受信部と、
　上記受信部により受信した上記識別番号と予め設定された識別番号との一致を比較する比較手段と、
　上記比較手段の比較結果で上記識別番号が一致したとき、上記受信部により受信した上記録画予約内容に基づいて上記番組の録画予約を設定する制御部と、
　上記制御部により設定された録画予約内容を記憶するメモリ手段とを有し、
　上記制御部は、
　上記録画手段に対する遠隔からの遠隔制御信号に基づいて上記番組の録画予約内容が変更された場合、上記メモリ手段に記憶された録画予約内容を変更するとともに、当該変更した録画予約内容を上記遠隔のユーザに出力するようにしたことを特徴とする録画装置。
　　【請求項６】　上記録画予約内容に関して録画終了時刻が変更され、変更後の録画終了時刻を上記メモリ手段に再記憶するようにしたことを特徴とする請求項５記載の録画装置。
　　【請求項７】　上記録画中の予約内容を音声合成する音声合成手段を備え、
　上記制御部は、
　上記音声合成手段によって合成される録画中の予約内容を発呼者側に伝えるように制御することを特徴とする請求項５記載の録画装置。
　　【請求項８】　上記録画手段にはＶＴＲが使用されることを特徴とする請求項５記載の録画装置。
　　【請求項９】　番組を記録する録画装置と、上記録画装置の設置場所から離れた遠隔のユーザにより識別番号と上記録画装置に対する録画予約内容とが入力される入力装置とを備え、番組録画予約が可能な録画装置の設置場所から離れた位置で録画内容を予約できるようにした録画予約システムであって、
　上記録画装置は、
　録画予約された上記番組を録画する録画手段と、
　当該装置の設置場所から離れた遠隔のユーザから識別番号と上記録画手段に対する録画予約内容とを受信する受信部と、
　上記受信部により受信した上記識別番号と予め設定された識別番号との一致を比較する比較手段と、
　上記比較手段の比較結果で上記識別番号が一致したとき、上記受信部により受信した上記録画予約内容に基づいて上記番組の録画予約を設定する制御部と、
　上記制御部により設定された録画予約内容を記憶するメモリ手段とを有し、
　上記制御部は、
　上記録画手段に対する遠隔からの遠隔制御信号に基づいて上記番組の録画予約内容が変更された場合、上記メモリ手段に記憶された録画予約内容を変更するとともに、当該変更した録画予約内容を上記遠隔のユーザに出力するようにしたことを特徴とする録画予約システム。
　　【請求項１０】　上記録画予約内容に関して録画終了時刻が変更されることを特徴とする請求項９記載の録画予約システム。」（以下、「補正後の特許請求の範囲」という。）と、補正するものである。
　そこで、本件手続補正について検討する。
　補正後の特許請求の範囲の請求項１に記載された発明は、補正前の特許請求の範囲の請求項１に記載された発明の「遠隔より上記録画装置の状態を判断し、上記録画装置が録画実行中であると判断した場合には、自動的に予約内容の確認状態に遷移し、上記録画装置が録画中である番組の予約内容を確認」するとの限定を削除するものであって、特許請求の範囲の減縮に当たらないことは明らかである。したがって、本件手続補正は、特許法第１７条の２第４項第２号の特許請求の範囲の減縮を目的とするものではない。
　また、本件手続補正が、特許法第１７条の２第４項第１号の請求項の削除を目的とするものであるとも、同条同項第３号の誤記の訂正を目的とするものであるとも、同条同項第４号の明りようでない記載の釈明を目的とするものであるとも認められない。
　
（２）むすび
　以上のとおり、本件手続補正は、特許法第１７条の２第４項の規定に違反するものであり、特許法第１５９条第１項で準用する特許法第５３条第１項の規定により却下されるべきものである。
　
３．補正却下の決定を踏まえた検討
（１）本願発明
　平成１６年９月１３日付の手続補正は、上記のとおり却下されたので、本願の請求項５に係る発明は、平成１５年６月９日付手続補正書の特許請求の範囲の請求項５に記載されたとおりの次のものと認める。（以下、「本願発明」という。）
「遠隔よりユーザが録画手段に設定した所望の番組の録画予約内容を受信する受信部と、
　上記受信部で受信した録画予約内容を用いて上記録画手段に予約設定を行う制御部と、
　上記制御部により設定された録画内容を記憶するメモリ手段とを有し、
　上記制御部は、
　上記録画手段に対する遠隔からの遠隔制御信号に基づいて上記番組の録画予約内容が変更された場合に、上記メモリ手段に記憶された録画予約内容を変更するようにしたことを特徴とする録画装置。」　
　 
（２）引用発明 
　原審の拒絶の理由において提示された特開平５−８３４１１号公報（以下、「引用例」という。）には、図面の記載とともに下記の記載がある。 
ａ．「【０００１】
【産業上の利用分野】本発明はＶＴＲ（画像録画再生装置）の操作システムに係り、電話機の操作でＶＴＲで受信された放送音声をモニタリングし、ＶＴＲを録画あるいはタイマー録画等に設定操作するものに関する。」（２頁１欄、段落１）
　 
ｂ．「【０００６】
【実施例】以下、図面に基づいて本発明によるＶＴＲの操作システムの実施例を詳細に説明する。図１は本発明によるＶＴＲの操作システムの一実施例の要部ブロック図である。図において、１は入出力部で、電話回線を介し信号を入出力する。２はフック制御部で、電話回線よりの所要回数の呼び出し信号にてオフフックする。３はダイヤル信号検出部で、ＤＴＭＦ（多周波符号）等のダイヤル信号を検出する。４は記憶部で、暗証番号およびＶＴＲの制御信号等を記憶する。５は識別部で、ダイヤル信号検出部３よりの信号を記憶部４より読み出したデータと比較し、暗証番号が一致した場合、制御信号を識別する。６はＶＴＲ制御部で、識別部５よりの信号に基づきＶＴＲを制御する。７は放送音声入力部で、ＶＴＲで受信された放送の音声を入力し入出力部１を介し電話回線に送出する。８は制御部で、各部を制御する。
【０００７】次に本発明によるＶＴＲの操作システムの動作を図３のフローチャートにより説明する。このシステムでは、電話機を自動受信に設定しておく（ステップ１：Yes 、以降、ST１：Yes 等と略す）。そして、外出先等の電話機で電話番号を入力し呼び出しを行う。呼出信号は入出力部１を介し入力し、所要の呼出信号回数にて（ST２：Yes ）フック制御部２を介しオフフックする（ST３）。外出先等の電話機でこのオフフックを確認し、予め設定されている暗証番号をＤＴＭＦ等のダイヤル信号で入力する。このダイヤル信号はダイヤル信号検出部３で検出され（ST４）、識別部５に入力する。識別部では、制御部８を介し記憶部４より読み出した暗証番号と比較し、一致した場合（ST５：Yes ）、次いで入力されるダイヤル信号を検出し相応する制御信号を識別する機能となる。ＶＴＲの制御のためのダイヤル信号は、例えば、図２の如く各制御機能に相応し設定され、記憶部４に記憶されている。すなわち、『０１＊』は受信中のテレビジョン放送の音声をモニタするためのものであり、『０２♯』はテレビジョン放送チャンネルの選択の設定で、続く『０４＊』は第４チャンネルの設定である。また、『０５♯』はタイマー録画の設定で、続いて入力する『２１００＊』および『２２３０＊』により、タイマー録画の開始時刻を21時00分、終了時刻を22時30分に設定する、等としたものである。
【０００８】例えば、21時に始まる映画番組を録画するためタイマー録画に設定してあるが、その前の野球中継が延長されていないかを確認する場合、ダイヤル操作で前記『０１＊』を入力する。この『０１＊』のダイヤル信号は入出力部１より制御部８を介しダイヤル信号検出部３に入力し検出され（ST６）、識別部５に入力し、制御部８を介し記憶部４より読み出したデータと比較し、放送音声のモニタのための信号と識別し（ST７：Yes ）、この識別に基づき放送音声入力部７を介し録画のためＶＴＲで受信中の音声信号を入力し、入出力部１を介し電話回線に送出する（ST８）。前記放送の音声は、例えば、前記『０１＊』のダイヤル信号でＶＴＲに接続されているテレビジョン受像機の電源をオンし、ＶＴＲよりの音声信号等を入力するように切り替え、オフフックされた状態にある電話機の送話器を介しスピーカよりの音声を入力する、あるいは、ＶＴＲの出力する音声信号を電話機に接続する手段を設け、前記『０１＊』のダイヤル信号でＶＴＲよりの音声信号を入力するように切り替えるようにする。
【０００９】このようにして電話回線を介し送出された放送の音声を外出先等の電話機で聞き、まだ野球中継が続いている場合、例えば、タイマー録画の停止のため設定された『０６＊』をダイヤルする。この信号はダイヤル信号検出部３で検出され、記憶部４より読み出した制御信号とで識別部５にて比較・識別を行い（ST10）、この識別に基づいてＶＴＲ制御部６を介しＶＴＲのタイマー録画動作を停止する（ST11）。そして、所要の時間経過した後、『０２♯』および『０４＊』をダイヤルし、ＶＴＲを第４チャンネルの受信に制御し、『０１＊』をダイヤルして放送の音声をモニタし、映画番組が始まっていることを確認し、『０３＊』をダイヤル操作してＶＴＲを録画開始に設定する。あるいは、映画番組の放送開始時間が判明した場合、『０５♯』、続いて『録画開始時分および＊』、そして『録画終了時分および＊』をダイヤルし、これにより、タイマー録画の設定を行う。あるいは、前記ST11にてタイマー録画の動作を停止した後、続いてＶＴＲを録画動作に設定する等の場合、電話機の操作で所要のダイヤル信号を入力する（前記ST９に戻る）。また、前記ST７にてダイヤル信号が放送音声のモニタのための信号ではなかった場合（ST７：No）、入力されるダイヤル信号に相応する制御信号を識別し（前記ST10）、ＶＴＲを制御する（前記ST11）。操作を終了し外出先等の電話を切れば、終話信号に応動しフック制御部２を介し装置をオンフックし（ST12）、ＶＴＲの設定操作は終了する。なお、ＶＴＲにタイマー録画等の設定状態を合成音声で知らせる機能を設け、この合成音声を聞くためのダイヤル信号を設定し、ＶＴＲよりの合成音声が送話口に入力されるようにし、電話回線を通じ外出先の電話機でタイマー録画の設定状態を確認できるようにしてもよい。」（２頁２欄〜３頁４欄、段落６〜９） 
　
　上記摘記事項ｂ．の段落７〜８には、「『０５♯』はタイマー録画の設定で、続いて入力する『２１００＊』および『２２３０＊』により、タイマー録画の開始時刻を21時00分、終了時刻を22時30分に設定する」とあるように、ステップ６（ST６）で検出されるＶＴＲの制御のためのダイヤル信号について記載されており、さらに、ステップ７（ST７）で識別されることにより、ダイヤル信号が『０１＊』でない場合はステップ１０〜１１においてＶＴＲの制御がされるから、ステップ６において『０５♯』から続く入力を行い、ＶＴＲにタイマー録画の設定の制御を行っているといえる。また、該ダイヤル信号『２１００＊』および『２２３０＊』はタイマー録画を開始し終了させる時刻を設定するものであるから、該ダイヤル信号は、「録画予約内容」といえる。
　上記摘記事項ｂ．の段落９には、「まだ野球中継が続いている場合」、「ＶＴＲのタイマー録画動作を停止」し、「映画番組の放送開始時間が判明した場合、『０５♯』、続いて『録画開始時分および＊』、そして『録画終了時分および＊』をダイヤルし、これにより、タイマー録画の設定を行う」ことが記載されているから、『０１＊』をダイヤルした後の、『０５♯』をダイヤルする一連のダイヤルは録画予約内容を変更するものであって、該ダイヤルにより送られる録画予約内容を変更する一連の信号は「遠隔制御信号」といえる。
　上記摘記事項ｂ．の「ダイヤル信号検出部３」、「識別部５」、「ＶＴＲ制御部６」、「制御部８」は協働してＶＴＲを制御しているから、これらは「制御部」といえる。
　上記摘記事項ｂ．及び図１記載のＶＴＲの操作システムはＶＴＲとともにタイマー録画を可能にしているものであるから、これらは「録画装置」といえる。
　
　上記摘記事項ａ．〜ｂ．の記載及びこの分野の技術常識を考慮すれば、引用例には、 
「外出先よりユーザがＶＴＲに設定した所望の番組の録画予約内容を受信する入出力部と、
　上記入出力部で受信した録画予約内容を用いて上記ＶＴＲに予約設定を行う制御部と、を有し、
　上記制御部は、
　上記ＶＴＲに対する外出先からの外出先制御信号に基づいて上記番組の録画予約内容を変更するようにしたことを特徴とする録画装置。」の発明（以下、「引用発明」という。）が開示されているものと認められる。 
　 
（３）対比 
　本願発明と引用発明とを対比すると、 
　引用発明の「外出先」、「ＶＴＲ」、「入出力部」は、本願発明の「遠隔」、「録画手段」、「受信部」に相当するといえるから、本願発明と引用発明とは以下の点で一致ないし相違する。 
　 
＜一致点＞ 
「遠隔よりユーザが録画手段に設定した所望の番組の録画予約内容を受信する受信部と、
　上記受信部で受信した録画予約内容を用いて上記録画手段に予約設定を行う制御部と、を有する録画装置。」 
　 
＜相違点＞ 
　本願発明は「上記制御部により設定された録画内容を記憶するメモリ手段」を有するものであるが、引用発明は「上記制御部により設定された録画内容を記憶するメモリ手段」を有するか否か不明な点。 
　これに連動して、「制御部」は、本願発明は「上記録画手段に対する遠隔からの遠隔制御信号に基づいて上記番組の録画予約内容が変更された場合に、上記メモリ手段に記憶された録画予約内容を変更するするようにした」ものであるのに対し、引用発明は「上記録画手段に対する遠隔からの遠隔制御信号に基づいて上記番組の録画予約内容を変更するようにした」ものである点。
　 
（４）判断 
　相違点について検討する。
　予約録画するものにおいて、設定された録画予約内容を記憶しておくメモリ手段を有し、該録画予約内容を用いて予約録画を行うことは、特開平２−１３４７５４号公報、特開平６−６０４７４号公報、実願昭６０−２０４７９２号（実開昭６２−１１３４２５号）のマイクロフィルム、特開昭６３−２９６５５０号公報、特開昭６３−７０６５３号公報、特開平２−２６５３４８号公報に開示されているように周知技術であって、引用発明に「メモリ手段」を採用することに阻害要因はないから、引用発明に「上記制御部により設定された録画内容を記憶するメモリ手段」を有することは、当業者が適宜なし得ることである。
　上記周知技術から明らかなように、メモリ手段に記憶された録画予約内容は所望の録画予約を実行させるためのものであるから、引用発明において録画予約内容が変更された場合に、メモリ手段に記憶された録画予約内容を変更することは、当業者であれば当然容易に想到し得ることである。
　
　また、本願発明の構成によってもたらされる効果も、引用発明及び周知の技術から当業者ならば容易に予測することができる程度のものであって、格別のものとはいえない。 
　 
（５）むすび 
　以上のとおり、本願発明は、引用発明及び周知技術に基づいて、当業者が容易に発明をすることができたものであるから、特許法第２９条第２項の規定により特許を受けることができない。 
　よって、結論のとおり審決する。